(57)【特許請求の範囲】
【請求項１】
個人端末で手書きしたオブジェクトが共有端末の共有画面上に表示されるオブジェクト共有システムにおいて、
前記共有端末は、
自端末が管理しているオブジェクトに基づいて基準サイズを特定し、当該基準サイズを前記個人端末に通知する制御部を有し、
前記個人端末は、
タッチパネルを備えた個人画面と、
前記共有端末から受信した前記基準サイズに基づいて、前記共有画面に前記基準サイズでオブジェクトを表示するための指標となるガイドのサイズを決定し、前記個人画面に前記サイズでガイドを表示する機能と、前記ガイドを表示している状態で前記個人画面上に手書きされたオブジェクトの前記共有画面における表示サイズを算出し、前記手書きされたオブジェクトと前記表示サイズとを前記共有端末に送信する機能と、を備える制御部と、を有し、
前記共有端末の制御部は、前記個人端末で手書きされたオブジェクトを前記表示サイズで、前記共有画面に表示させる、
ことを特徴とするオブジェクト共有システム。
【請求項２】
前記個人端末は、前記共有画面上の所定の領域を指定する手段を備え、
前記共有端末の制御部は、前記所定の領域に表示されているオブジェクトの種別を判別し、前記オブジェクトが文字の場合は文字サイズを特定し、前記オブジェクトがイメージの場合は当該イメージの領域サイズを特定し、前記文字サイズ又は前記領域サイズを前記基準サイズとして前記個人端末に通知する、
ことを特徴とする請求項１に記載のオブジェクト共有システム。
【請求項３】
前記個人端末の制御部は、前記共有端末のシステム情報と自端末のシステム情報とに基づいて、表示換算の倍率を算出し、前記基準サイズと前記表示換算の倍率とに基づいて、前記ガイドのサイズを決定し、前記個人画面上に手書きされたオブジェクトのサイズと前記表示換算の倍率とに基づいて、前記表示サイズを算出する、
ことを特徴とする請求項１又は２に記載のオブジェクト共有システム。
【請求項４】
前記共有端末の制御部は、前記共有画面に表示されている文字の文字サイズの内、多く使用されている文字サイズを特定し、当該文字サイズを前記基準サイズとして前記個人端末に通知する、
ことを特徴とする請求項１乃至３のいずれか一に記載のオブジェクト共有システム。
【請求項５】
前記共有端末は、前記共有画面に表示した文字の文字サイズを履歴情報として記憶する記憶部を有し、
前記共有端末の制御部は、前記記憶部に記憶された履歴情報に基づいて、多く使用された文字サイズを特定し、当該文字サイズを前記基準サイズとして前記個人端末に通知する、
ことを特徴とする請求項１乃至３のいずれか一に記載のオブジェクト共有システム。
【請求項６】
前記共有端末の制御部は、前記記憶部に履歴情報が記憶されていない場合は、予め定めたサイズを前記基準サイズとして前記個人端末に通知する、
ことを特徴とする請求項５に記載のオブジェクト共有システム。
【請求項７】
前記個人端末の制御部は、前記個人画面に前記ガイドを表示後、前記共有画面の表示倍率の変更によって前記基準サイズが拡大／縮小された場合でも、前記ガイドのサイズを変更しない、
ことを特徴とする請求項１乃至６のいずれか一に記載のオブジェクト共有システム。
【請求項８】
前記個人端末の制御部は、前記個人画面に前記ガイドを表示後、当該個人画面の表示倍率が変更された場合には、変更された表示倍率に従って、前記ガイドのサイズを拡大／縮小する、
ことを特徴とする請求項１乃至７のいずれか一に記載のオブジェクト共有システム。
【請求項９】
共有画面を有する共有端末と、タッチパネルを備えた個人画面を有する個人端末と、が通信ネットワークで接続されたシステムにおける、前記個人端末で動作するオブジェクト入力支援プログラムであって、
前記個人端末に、
前記共有端末から、前記共有端末が管理しているオブジェクトに基づいて特定された基準サイズを取得し、前記基準サイズに基づいて、前記共有画面に前記基準サイズでオブジェクトを表示するための指標となるガイドのサイズを決定し、前記個人画面に前記サイズでガイドを表示する第１の処理と、
前記ガイドを表示している状態で前記個人画面上に手書きされたオブジェクトの前記共有画面における表示サイズを算出し、前記手書きされたオブジェクトと前記表示サイズとを前記共有端末に送信する第２の処理と、を実行させる、
ことを特徴とするオブジェクト入力支援プログラム。
【請求項１０】
前記第１の処理では、前記共有端末のシステム情報と前記個人端末のシステム情報とに基づいて、表示換算の倍率を算出し、前記基準サイズと前記表示換算の倍率とに基づいて、前記ガイドのサイズを決定し、
前記第２の処理では、前記個人画面上に手書きされたオブジェクトのサイズと前記表示換算の倍率とに基づいて、前記表示サイズを算出する、
ことを特徴とする請求項９に記載のオブジェクト入力支援プログラム。
【請求項１１】
前記第１の処理では、前記個人画面に前記ガイドを表示後、前記共有画面の表示倍率の変更によって前記基準サイズが拡大／縮小された場合でも、前記ガイドのサイズを変更しない、
ことを特徴とする請求項９又は１０に記載のオブジェクト入力支援プログラム。
【請求項１２】
前記第１の処理では、前記個人画面に前記ガイドを表示後、当該個人画面の表示倍率が変更された場合には、変更された表示倍率に従って、前記ガイドのサイズを拡大／縮小する、
ことを特徴とする請求項９乃至１１のいずれか一に記載のオブジェクト入力支援プログラム。
【発明の詳細な説明】
【技術分野】
【０００１】
本発明は、オブジェクト共有システム及びオブジェクト入力支援プログラムに関し、特に、個人端末で手書きしたオブジェクトを共有端末の画面に表示するオブジェクト共有システム及び個人端末におけるオブジェクトの手書き入力を支援するオブジェクト入力支援プログラムに関する。
【背景技術】
【０００２】
携帯型のコンピュータ装置やタブレット端末などの携帯端末にはタッチパネルを備えたものが多く、タッチパネル上に手書きした文字などは電子データとして利用することができる。ここで、タッチパネル上に文字を手書きする場合、複数の文字を同じサイズで手書きするのは困難であることから、手書きした文字のサイズを調整する方法が提案されている。
【０００３】
例えば、下記特許文献１には、手書き文字を入力するペンと、画面に一体形成したタブレットを有し、前記ペンによってタブレット上に手書き文字が描かれる際に複数の文字認識用の入力枠を表示するとともに入力枠に入力された手書き文字および認識文字を順次表示する表示手段と、前記ペンのアップ／ダウン信号を検出するとともに入力枠に入力された手書き文字をドットからなる座標データとして検出する座標検出手段と、検出された座標データを記憶する座標データ記憶手段と、各種座標データと所定の書式に基づく認識文字とを対応して予め記憶している文字認識テーブルと、文字認識テーブルを参照することにより入力された座標データを、これに対応する認識文字に変換して画面に出力する文字認識手段と、前記ペンとタブレットにより手書き文字を入力する際に、出力される認識文字より大きいサイズに形成してなる複数の入力枠を、前記認識文字と同一の行／列に沿って画面に配列する枠制御手段とを備え、前記文字認識手段によって一つの入力枠に対応する手書き文字が認識文字に変換された際に、前記枠制御手段は前記認識文字に対応した入力枠を消去するとともにすでに表示されている入力枠の隣に同じサイズの入力枠を順次追加表示する手書き文字認識入力装置が開示されている。
【０００４】
また、下記特許文献２には、１文字毎の入力枠のない手書き文字認識装置においても、入力される文字サイズが予めわかっていれば、文字認識率が高まるという事実に基づき、入力する手書き文字のサイズを示す枠を入力画面上の所定の位置に動的に表示して手書き入力することにより、自然な手書き文字入力を阻害することなく、入力する文字の大きさの差を少なくし、文字認識率を高める技術が開示されている。
【先行技術文献】
【特許文献】
【０００５】
【特許文献１】特開平０８−００７０３４号公報
【特許文献２】特開２００１−３５７３５５号公報
【発明の概要】
【発明が解決しようとする課題】
【０００６】
近年、各ユーザが利用する個人端末と複数のユーザが利用する共有端末とを連動させ、各個人端末で手書きした文字や図形、イラストなどのオブジェクトを共有端末の画面に反映し、この画面を見ながら会議を進行する電子会議が行われるようになってきている。この場合において、各個人端末で手書きするオブジェクトのサイズがまちまちであると、共有端末の画面に様々なサイズのオブジェクトが表示されてしまい、効率的に会議を進行することができない。
【０００７】
このような背景から、共有端末に適切なサイズでオブジェクトを表示する技術が望まれているが、上述した従来の技術は、オブジェクトを手書き入力する装置自体に関する技術であり、ユーザの個人端末と共有端末とで構成されるシステムに関する技術ではないため、各個人端末で入力する文字のサイズを調整できたとしても、複数の個人端末で手書きした複数のオブジェクトのサイズを調整することはできない。そのため、共有端末の画面に表示される複数のオブジェクトの関連性が分かりにくくなっていまい、共有端末の画面を見ながら適切に会議を進行することができないという問題があった。
【０００８】
本発明は、上記問題点に鑑みてなされたものであって、その主たる目的は、個人端末で手書きしたオブジェクトを共有端末の画面に適切なサイズで表示するオブジェクト共有システム及びオブジェクト入力支援プログラムを提供することにある。
【課題を解決するための手段】
【０００９】
上記目的を達成するため、本発明は、個人端末で手書きしたオブジェクトが共有端末の共有画面上に表示されるオブジェクト共有システムにおいて、前記共有端末は、自端末が管理しているオブジェクトに基づいて基準サイズを特定し、当該基準サイズを前記個人端末に通知する制御部を有し、前記個人端末は、タッチパネルを備えた個人画面と、前記共有端末から受信した前記基準サイズに基づいて、前記共有画面に前記基準サイズでオブジェクトを表示するための指標となるガイドのサイズを決定し、前記個人画面に前記サイズでガイドを表示する機能と、前記ガイドを表示している状態で前記個人画面上に手書きされたオブジェクトの前記共有画面における表示サイズを算出し、前記手書きされたオブジェクトと前記表示サイズとを前記共有端末に送信する機能と、を備える制御部と、を有し、前記共有端末の制御部は、前記個人端末で手書きされたオブジェクトを前記表示サイズで、前記共有画面に表示させるものである。
【００１０】
また、本発明は、共有画面を有する共有端末と、タッチパネルを備えた個人画面を有する個人端末と、が通信ネットワークで接続されたシステムにおける、前記個人端末で動作するオブジェクト入力支援プログラムであって、前記個人端末に、前記共有端末から、前記共有端末が管理しているオブジェクトに基づいて特定された基準サイズを取得し、前記基準サイズに基づいて、前記共有画面に前記基準サイズでオブジェクトを表示するための指標となるガイドのサイズを決定し、前記個人画面に前記サイズでガイドを表示する第１の処理と、前記ガイドを表示している状態で前記個人画面上に手書きされたオブジェクトの前記共有画面における表示サイズを算出し、前記手書きされたオブジェクトと前記表示サイズとを前記共有端末に送信する第２の処理と、を実行させるものである。
【発明の効果】
【００１１】
本発明のオブジェクト共有システム及びオブジェクト入力支援プログラムによれば、個人端末で手書きしたオブジェクトを共有端末の画面に適切なサイズで表示することができる。
【００１２】
その理由は、共有端末は、自端末が管理しているオブジェクトの基準サイズを個人端末に通知し、個人端末は、共有端末のシステムデータと個人端末のシステムデータとに基づいて表示換算の倍率を算出し、基準サイズと表示換算の倍率とに基づいてガイドのサイズを決定し、そのサイズでガイドを表示する。そして、そのガイドを参照して個人端末でオブジェクトを手書きすると、手書きされたオブジェクトのサイズと表示換算の倍率とに基づいて共有端末に関する表示サイズを算出し、手書きされたオブジェクトとその表示サイズを共有端末に送信し、共有端末は、手書きされたオブジェクトをその表示サイズで共有画面に表示するからである。
【図面の簡単な説明】
【００１３】
【図１】本発明の一実施例に係るオブジェクト共有システムの構成を示す概略図である。
【図２】本発明の一実施例に係る共有端末の構成を示すブロック図である。
【図３】本発明の一実施例に係る手元ツールの構成を示すブロック図である。
【図４】本発明の一実施例に係る共有端末が保持するテーブルの一例である。
【図５】本発明の一実施例に係る手元ツールが保持するテーブルの一例である。
【図６】本発明の一実施例に係るオブジェクト共有システムの基本処理（手書きオブジェクトを表示する処理）を示す概略図である。
【図７】本発明の一実施例に係る手元ツールに表示されるガイドの形態を示す図である。
【図８】本発明の一実施例に係る共有端末の全体処理を示すフローチャート図である。
【図９】本発明の一実施例に係る手元ツールの全体処理を示すフローチャート図である。
【図１０】本発明の一実施例に係る共有端末の初期化処理を示すフローチャート図である。
【図１１】本発明の一実施例に係る共有端末の文字サイズ特定処理を示すフローチャート図である。
【図１２】本発明の一実施例に係る共有端末の表示データ展開処理を示すフローチャート図である。
【図１３】本発明の一実施例に係る手元ツールの初期化処理を示すフローチャート図である。
【図１４】本発明の一実施例に係る手元ツールのガイド表示処理を示すフローチャート図である。
【図１５】本発明の一実施例に係るオブジェクト共有システムの処理（指定領域の基準サイズに合わせて手書き文字を表示する処理）を示す概略図である。
【図１６】本発明の一実施例に係るオブジェクト共有システムの処理（指定領域の基準サイズに合わせて手書きイメージを表示する処理）を示す概略図である。
【図１７】本発明の一実施例に係る共有端末のポイント指定処理を示すフローチャート図である。
【発明を実施するための最良の形態】
【００１４】
背景技術で示したように、各ユーザが利用する個人端末と共有端末とを連動させ、各個人端末で手書きしたオブジェクトを共有端末の画面に表示し、この画面を見ながら会議を進行する電子会議が行われているが、各個人端末で手書きするオブジェクトのサイズはまちまちであり、共有端末の画面上で複数のオブジェクトのサイズが統一されないため、複数のオブジェクトの関連性が分かりにくく、効率的に会議を進行することができないという問題があった。この問題に対して、個人端末毎にオブジェクトのサイズを調整する方法はあるが、この方法では、複数の個人端末で手書きした複数のオブジェクトのサイズを適切に調整することはできない。
【００１５】
そこで、本発明の一実施の形態では、各個人端末で手書きしたオブジェクトを共有端末に送信して画面に表示可能なオブジェクト共有システムにおいて、個人端末で手書きする時に、共有端末の画面に表示されているオブジェクトのサイズを基準にして手書き入力ができるように、個人端末に罫線等のガイドを表示させる。
【００１６】
具体的には、個人端末で手書きしたオブジェクトを共有端末に送って画面に表示する場合、送信したオブジェクトをそのまま表示させたのでは、想定よりも大きく表示されたり、場合によっては小さく表示されたりすることがあるため、個人端末でどの程度のサイズで文字や図形、イラストなどのオブジェクトを書けば、共有端末の画面にはどの程度のサイズで表示されるかが事前に判ると便利である。そこで、共有端末では、自端末が管理しているオブジェクトの平均的なサイズや多く使われているサイズ、指定した領域に表示されているオブジェクトのサイズなどを基準サイズとして個人端末に送信し、個人端末では、この基準サイズと、共有端末のシステムデータと個人端末のシステムデータとを用いて算出される表示換算の倍率と、に基づいてガイドのサイズを決定し、このサイズで罫線等のガイドを表示させる。そして、個人端末で、表示されたガイドを参照してオブジェクトを手書きすると、手書きされたオブジェクトのサイズと表示換算の倍率とに基づいて共有端末に関する表示サイズを算出し、オブジェクトのデータとその表示サイズを共有端末に通知し、共有端末は、そのオブジェクトをその表示サイズで表示させる。
【００１７】
このように罫線等のガイドを表示させることにより、共有端末の画面に表示されているオブジェクトと個人端末で手書きしようと考えているオブジェクトのサイズの比較が簡単になり、共有端末の画面上のオブジェクトと同じサイズで手書きしたオブジェクトや、共有端末の画面上のオブジェクトに対して意識的に大きく／小さく手書きしたオブジェクトを共有端末の画面に転送することによって、ユーザの意図通りのサイズのオブジェクトを共有端末の画面に表示させることができる。また、個人端末を使用して、共有端末の画面の所定の領域を指定すると、その領域に表示されているオブジェクトのサイズに応じて、ガイドサイズを変更することができるため、所望のサイズのオブジェクトを共有端末の画面に表示させることができる。
【実施例１】
【００１８】
上記した本発明の実施の形態についてさらに詳細に説明すべく、本発明の一実施例に係るオブジェクト共有システム及びオブジェクト入力支援プログラムについて、図１乃至図１７を参照して説明する。図１は、本実施例のオブジェクト共有システムの構成を示す概略図であり、図２は、共有端末の構成を示すブロック図、図３は、手元ツールの構成を示すブロック図である。また、図４及び図５は、共有端末と手元ツールに保持されるテーブルの一例であり、図６は、本実施例のオブジェクト共有システムの処理を示す概略図、図７は、本実施例の手元ツールに表示されるガイドの形態を示す図である。また、図８、１０−１３は、本実施例の共有端末の処理を示すフローチャート図であり、図９、１３、１４は、本実施例の手元ツールの処理を示すフローチャート図である。また、図１５及び図１６は、本実施例のオブジェクト共有システムの他の処理を示す概略図であり、図１７は、本実施例の共有端末の他の処理を示すフローチャート図である。
【００１９】
図１に示すように、本実施例のオブジェクト共有システムは、複数のユーザが共有して使用する共有端末１００と、各々のユーザが使用する個人端末（本実施例では、手元ツール２００と呼ぶ。）と、で構成され、これらは、ＬＡＮ（Local Area Network）やＷＡＮ（Wide Area Network）などの通信ネットワークを介して相互に接続されている。以下、各々の端末について、詳細に説明する。
【００２０】
［共有端末］
図２に示すように、本実施例の共有端末１００は、演算処理機能を備えたディスプレイやプロジェクタなどであり、共有画面制御部１０１と共有画面１１１とで構成される。
【００２１】
共有画面制御部１０１は、表示制御部１０２と無線通信部１０３とタッチパネル制御部１０４と履歴データ管理部１０５と制御部１１０などで構成される。表示制御部１０２は、タッチパネル制御部１０４から取得した座標位置に基づいて、タッチパネル１１３上で手書きされた文字や図形、イラストなど（以下、これらを総称してオブジェクトと呼ぶ。）を表示部１１２に表示させる。また、無線通信部１０３を介して手元ツール２００から取得したオブジェクトのデータとサイズ情報とに基づいて、手元ツール２００で手書きされたオブジェクトを表示部１１２に表示させる。無線通信部１０３は、ＮＩＣ（Network Interface Card）やモデムなどで構成され、手元ツール２００との間でオブジェクトのデータの転送、オブジェクトのサイズ情報の送受信などを行う。タッチパネル制御部１０４は、スタイラスペンや指でタッチしたタッチパネル１１３上の位置座標を検知する。履歴データ管理部１０５は、共有画面１１１に表示されたオブジェクトに関する情報を履歴として管理する。
【００２２】
制御部１１０は、ＣＰＵ（Central Processing Unit）１０６とプログラムを保存するFlash ROM（Read Only Memory）１０７と各種制御データ等を保存するメモリ１０８と再利用可能なデータとして保存するＳＤ（Secure Digital）カード１０９などで構成される。この制御部１１０は、履歴データ管理部１０５から取得したオブジェクトのサイズ情報を参照して、平均サイズや多く使われているサイズを特定し、そのサイズ情報（基準サイズと呼ぶ。）を手元ツール２００に通知する制御、表示部１１２に表示されているオブジェクトに対してＯＣＲ（Optical Character Reader）処理を行い、オブジェクトに関する情報を取得して履歴データ管理部１０５に通知する制御などを行う。なお、ＳＤカード１０９には、図４に示すテーブルが保存される。このテーブルには、共有端末１００が管理しているオブジェクトのサイズ情報（サイズデータ）、オブジェクトの構成（文字数やポイント数、イメージ数、イメージサイズなど）を示すデータ（使用文字データ、使用イメージデータなど）、システムデータ（解像度、画面サイズなど）、共有画面１１１に表示されているオブジェクトのデータ（表示データ）、手元ツール２００に送信するオブジェクトのサイズ情報（送信サイズデータ）、手元ツール２００から受信したオブジェクトの倍率データ（受信サイズデータ）、手元ツール２００によって指定された領域の情報（ポイント座標データ）などが記述される。
【００２３】
共有画面１１１は、表示部１１２とタッチパネル１１３などで構成される。表示部１１２は、ＬＣＤ（Liquid Crystal Display）や有機ＥＬディスプレイなどで構成され、オブジェクトを表示する。タッチパネル１１３は、表示部１１２上に配置された格子状の透明電極で構成され、スタイラスペンや指でタッチした位置に対応する信号を出力する。タッチパネル１１３の座標検知の方式としては、静電容量、アナログ／デジタル抵抗膜、赤外線、超音波、電磁誘導等の各種方式を使用することができ、これらを組み合わせてもよい。なお、手元ツール２００でポイントを指定する場合は、赤外線の座標検知方式を利用することにより、手元ツール２００から照射されるレーザ光などを検出することができる。
【００２４】
［手元ツール］
図３に示すように、手元ツール２００は、携帯型のコンピュータ装置、タブレット端末、ＰＤＡ（Personal Digital Assistants）、スマートフォンなどであり、手元ツール制御部２０１と制御部２１０と表示部２１１とタッチパネル２１２とポインター光発信部２１３などで構成される。
【００２５】
手元ツール制御部２０１は、表示制御部２０２と無線通信部２０３とタッチパネル制御部２０４と履歴データ管理部２０５などで構成される。表示制御部２０２は、タッチパネル制御部２０４から取得した座標位置に基づいて、タッチパネル２１２上で手書きされたオブジェクトを表示部２１１に表示させる。また、無線通信部２０３を介して共有端末１００から取得したオブジェクトのデータに基づいて、共有端末１００で手書きされたオブジェクトの一部や全体を表示部２１１に表示させたり、制御部２１０から通知されたガイド情報に基づいて、オブジェクトを手書きする際の指標となるガイドを表示部２１１に表示させたりする。無線通信部２０３は、ＮＩＣやモデムなどで構成され、共有端末１００との間でオブジェクトのデータの転送、オブジェクトのサイズ情報の送受信などを行う。タッチパネル制御部２０４は、スタイラスペンや指でタッチしたタッチパネル２１２の位置座標を検知する。履歴データ管理部２０５は、手元ツール２００で手書きされたオブジェクトに関する情報を履歴として管理する。
【００２６】
制御部２１０は、ＣＰＵ２０６とプログラムを保存するFlash ROM２０７と各種制御データ等を保存するメモリ２０８と再利用可能なデータとして保存するＳＤカード２０９などで構成される。この制御部２１０は、共有端末１００のシステムデータと手元ツール２００のシステムデータとを用いて、後述する表示換算の倍率を算出し、共有端末１００から取得したオブジェクトのサイズ情報（基準サイズ）と算出した表示換算の倍率とに基づいてガイドサイズ（ガイドと同じサイズで手書きしたオブジェクトが共有端末１００の共有画面１１１に基準サイズと同じサイズで表示されるようにするサイズ）を決定して表示制御部２０２に通知する制御、表示部２１２に表示されているオブジェクトに対してＯＣＲ処理を行い、オブジェクトに関する情報を取得して履歴データ管理部２０５に通知する制御、手書きされたオブジェクトのサイズと表示換算の倍率とに基づいて共有画面１１１に表示させるサイズ（表示サイズ）を算出し、オブジェクトのデータ及び表示サイズを共有端末１００に通知する制御などを行う。なお、ＳＤカード２０９には、図５に示すテーブルが保存される。このテーブルには、共有端末１００から受信したオブジェクトのサイズ情報（受信サイズデータ）、共有端末１００に送信するオブジェクトの倍率情報（送信サイズデータ）、表示部２１１に表示するガイドのサイズ情報（文字ガイドサイズ、イメージガイドサイズ）、手元ツール１００で表示したガイドの履歴情報（履歴データ）、表示部２１１に表示されているオブジェクトのデータ（表示データ）、システムデータ（解像度、画面サイズ）などが記述される。
【００２７】
表示部２１２は、ＬＣＤや有機ＥＬディスプレイなどで構成され、各ユーザが使用する個人画面として、オブジェクトやガイドなどを表示する。タッチパネル２１２は、表示部２１２上に配置された格子状の透明電極で構成され、スタイラスペンや指でタッチした位置に対応する信号を出力する。タッチパネル２１３の座標検知の方式としては、共有端末１００と同様に、静電容量、アナログ／デジタル抵抗膜、赤外線、超音波、電磁誘導等の各種方式を使用することができ、これらを組み合わせてもよい。ポインター光発信部２１３は、共有画面１１１上の所定の領域を指定するために、指向性が高く、かつ、共有端末１００のタッチパネル１１３が検出可能な光（レーザ光など）を発信する。
【００２８】
次に、上記構成のオブジェクト共有システムの処理について、図６の概念図を参照して説明する。なお、共有端末１００の共有画面１１１には、第１のサイズの文字（「アイデア検討会」）と第１のサイズよりも小さい第２のサイズの文字（「Ａ案：○○○」、「Ｂ案：×××」）とイメージ（四角と丸と三角からなる図形）とが表示されているとする。
【００２９】
（１）まず、共有端末１００の制御部１１０は、ＯＣＲ処理などにより表示部１１２に表示されているオブジェクト（ここでは文字）のサイズを取得し、平均サイズや多く使用されているサイズ（表示部１１２にオブジェクトが表示されていない場合は過去に表示されたオブジェクトの平均サイズや多く使用されたサイズ）を特定し（ここでは第２のサイズ）、そのサイズ情報（基準サイズ）とシステムデータをガイド算出用の情報として手元ツール２００に送信する。このサイズ情報及びシステムデータの送信タイミングは、例えば、手元ツール２００のアプリケーションが立ち上がった（Ready状態になった）時、共有端末１００が起動した時に、Ready状態の手元ツール２００を検出した時などである。
【００３０】
（２）次に、手元ツール２００の制御部２１０は、共有端末１００からサイズ情報及びシステムデータを受信すると、共有端末１００のシステムデータと手元ツール２００のシステムデータとに基づいて表示換算の倍率を算出し、サイズ情報と表示換算の倍率とに基づいてガイドサイズを決定し、表示制御部２０２は、制御部２１０から通知されるガイドサイズに従って表示部２１１にガイドを表示させる。このガイドは、手元ツール２００の使用者が所望のサイズのオブジェクトを手書きする際に参考となる形態であればよく、例えば、図７に示すように、罫線パターン、領域パターン、矩形ガイドパターン、グリッドパターンなどとすることができる。（ａ）の罫線パターンは、罫線にてオブジェクトの大きさを表す形態であり、主に文字の場合に使用する。（ｂ）の領域パターンは、矩形などの枠線でオブジェクトの大きさを表す形態であり、主にイメージの場合に使用する。（ｃ）の矩形ガイドパターンは、空きエリアに基準となる矩形を表示する形態であり、主に文字の場合に使用する。また、（ｄ）のグリッドパターンは、共有端末１００と共通のグリッドを表示させる形態であり、文字／イメージの両方で使用する。
【００３１】
そして、ユーザが、ガイドを参考にして、共有画面１１１に表示させたいオブジェクトをタッチパネル２１２上に手書きすると、手元ツール２００の制御部２１０は、手書きしたオブジェクトのサイズと表示換算の倍率とに基づいて、共有端末１００に表示するオブジェクトのサイズ情報（表示サイズ）を算出し、共有端末１００に送信する。このサイズ情報の送信タイミングは、例えば、手元ツール２００に手書きしたオブジェクトを使用者が共有端末１００に送信するアクションを行った時（送信スイッチを押した時、手書きしたオブジェクトを指でタッチし、タッチパネル２１２の外部に向かって指を弾く（いわゆるオブジェクトを投げるジェスチャー）を行った時、共有端末１００に手元ツール２００を近接させた時）などであり、このアクションによって共有端末１００は手元ツール２００から表示依頼があったと判断する。
【００３２】
（３）次に、手元ツール２００の制御部２１０は、手書きしたオブジェクトのデータ（文字の場合は、ASCII、JIS、Windows（登録商標）コードなどの文字コード）を共有端末１００に送信する。このオブジェクトのデータの送信タイミングは、上記と同様に、手元ツール２００に手書きしたオブジェクトを使用者が共有端末１００に送信するアクションを行った時（送信スイッチを押した時、手書きしたオブジェクトを指で弾く（オブジェクトを投げるジェスチャー）を行った時、共有端末１００に手元ツール２００を近接させた時）などである。
【００３３】
そして、共有端末１００の制御部１１０は、手元ツール２００から手書きしたオブジェクトのデータとサイズ情報とを受信すると、手書きしたオブジェクトをサイズ情報で規定されるサイズで共有画面１１１に表示させる。
【００３４】
なお、本実施例では、手元ツール２００側で共有画面１１１に表示するオブジェクトの表示サイズを算出して共有端末１００に通知する構成としているが、例えば、手元ツール２００側では表示換算の倍率を算出して共有端末１００に通知し、共有端末１００側で表示換算の倍率に基づいて共有端末１００に関する表示サイズを算出する構成としてもよい。また、手元ツール２００側が、手元ツール２００の表示部２１１に表示したオブジェクトのサイズ情報と手元ツール２００のシステムデータを共有端末１００に通知し、共有端末１００側で、そのサイズ情報と手元ツール２００のシステムデータと共有端末１００のシステムデータとに基づいて共有端末１００に関する表示サイズを算出する構成としてもよい。
【００３５】
次に、上記オブジェクト共有システムの処理について具体的に説明する。まず、図８、１０−１３のフローチャート図を参照して、共有端末１００の処理を説明する。
【００３６】
図８に示すように、共有端末１００の制御部１１０は、システムの初期化処理を実行する（Ｓ１０１）。具体的には、図１０に示すように、メモリ１０８をクリアし（Ｓ３０１）、各種初期値データ、履歴データをＳＤカード１０９等から取得する（Ｓ３０２、Ｓ３０３）。次に、文字サイズの初期値データ、共有画面１１１の解像度、画面データ等のシステムデータをメモリ１０８にセットする（Ｓ３０４、Ｓ３０５）。
【００３７】
次に、共有端末１００の制御部１１０は、文字サイズ特定処理を実行する（Ｓ１０２）。具体的には、図１１に示すように、ＯＣＲ処理を行って認識した文字や各文字のポイント数などのＯＣＲ情報を収集し（Ｓ４０１）、文字数と各文字のポイント数をカウントして（Ｓ４０２）、文字数と各文字のポイント数より、平均文字サイズを算出し、このサイズを基準サイズとする（Ｓ４０３）。次に、制御部１１０は、多く使用されている文字を使用する設定であるかを判断し、当該設定であれば（Ｓ４０４のＹｅｓ）、多く使用されている文字のサイズを収集し、このサイズを基準サイズとする（Ｓ４０５）。なお、オブジェクトが図形などのイメージの場合は、各イメージの領域を特定し、平均イメージサイズを算出したり、多く使用されているイメージサイズを収集したりすればよい。
【００３８】
次に、共有端末１００の制御部１１０は、ネットワークに接続されている手元ツール２００を検知し（Ｓ１０３）、手元ツール２００が見つかった場合は（Ｓ１０４のＹｅｓ）、Ｓ１０２で特定した文字サイズ（基準サイズ）とＳＤカード１０９などに保存している解像度や画面サイズなどのシステムデータとを、検知した手元ツール２００に送信する（Ｓ１０５）。なお、手元ツール２００が、共有端末１００のシステムデータを保持している場合は、文字サイズ（基準サイズ）のみを送信すればよい。
【００３９】
次に、共有端末１００の制御部１１０は、共有画面１１１で手書きが実施されたかを判断し、手書きが実施された場合は（Ｓ１０６のＹｅｓ）、表示制御部１０２は、手書きされたオブジェクトを表示部１２に表示させる（Ｓ１０７）。そして、制御部１１０は、手書きされたオブジェクトのＯＣＲ処理を行い（Ｓ１０８）、履歴データ管理部１０５は、文字の種別やポイント数、イメージサイズなどの情報を履歴データとして保存する（Ｓ１０９）。
【００４０】
次に、共有端末１００の制御部１１０は、手元ツール２００から表示依頼があるかを判断し、表示依頼がある場合は（Ｓ１１０のＹｅｓ）、手元ツール２００からの表示データ（共有画面１１１に表示するオブジェクトの表示サイズとオブジェクトのデータ）を受信し（Ｓ１１１）、表示データ展開処理を実行する（Ｓ１１２）。具体的には、図１２に示すように、共有画面１１１に表示するオブジェクトの表示サイズを収集し（Ｓ５０１）、表示するオブジェクトが文字であるかイメージであるかのデータ種別を収集する（Ｓ５０２）。そして、データ種別が文字の場合は（Ｓ５０３のＹｅｓ）、文字データを収集し（Ｓ５０４）、表示サイズからポイント数を換算する（Ｓ５０５）。一方、データ種別がイメージの場合は（Ｓ５０３のＮｏ）、イメージデータを収集し（Ｓ５０７）、表示サイズからイメージのビットマップ情報を換算する（Ｓ５０８）。その後、換算した表示データをＳＤカード１０９などに保存する（Ｓ５０６）。
【００４１】
次に、共有端末１００の表示制御部１０２は、ＳＤカード１０９などから換算した表示データを読み出して、共有画面１１１に表示させ（Ｓ１１３）、Ｓ１０２に戻って同様の処理を繰り返し行う。
【００４２】
次に、図９、１３、１４のフローチャート図を参照して、手元ツール２００の処理を説明する。
【００４３】
手元ツール２００の制御部２１０は、システム初期化処理を実行する（Ｓ２０１）。具体的には、図１３に示すように、メモリ２０８をクリアし（Ｓ６０１）、各種初期値データ、履歴データをＳＤカード２０９等から取得する（Ｓ６０２、Ｓ６０３）。次に、手元ツール２００の解像度、画面データ等のシステムデータをメモリ２０８にセットする（Ｓ６０４）。
【００４４】
次に、手元ツール２００の制御部２１０は、ネットワークに接続されている共有端末１００を検知し（Ｓ２０２）、共有端末１００が見つかった場合は（Ｓ２０３のＹｅｓ）、共有端末１００から、文字サイズ（基準サイズ）と共有端末１００のシステムデータとを受信する（Ｓ２０４）。なお、共有端末１００のシステムデータを保持（以前に取得）している場合は、文字サイズ（基準サイズ）のみを受信すればよい。
【００４５】
次に、手元ツール２００の制御部２１０は、ガイド表示処理を実行する（Ｓ２０５）。具体的には、図１４に示すように、手元ツール２００のシステムデータと共有端末１００のシステムデータとを用いて、表示換算の倍率（例えば、共有画面１１１の画面サイズに対する表示部２１１の画面サイズの比率）を算出する（Ｓ７０１）。次に、文字のサイズ情報（基準サイズ）と表示換算の倍率とに基づいて（例えば、上記基準サイズと上記画面サイズの比率とを乗算したり、更に所定の係数を乗算したりして）ガイドのサイズを決定し、ガイドサイズのデータをＳＤカード２０９などにセットする（Ｓ７０２）。次に、表示するガイド種別の情報を収集し（Ｓ７０３）、表示するガイドのデータをＳＤカード２０９などにセットする（Ｓ７０４）。そして、表示制御部２０２は、ＳＤカード２０９からガイドサイズのデータとガイドのデータを読み出して、表示部２１１にガイドを表示させる（Ｓ７０５）。
【００４６】
なお、本実施例では、基準サイズと表示換算の倍率とに基づいてガイドサイズを決定しているが、共有画面１１１の画面サイズに比べて表示部２１１の画面サイズがかなり小さい場合は、ガイドサイズが小さくなり、オブジェクトの手書き入力が困難になる場合もある。そのような場合は、履歴データ管理部２０５に保存された履歴データに基づいて、自端末で手書きされた文字の平均サイズや多く使われているサイズなどのサイズ情報（すなわち、手元ツールに関する標準的な手書きサイズ）を収集し、そのサイズでガイドを表示することもできる。その際、手元ツール２００の制御部２１０は、共有端末１００の基準サイズ及びシステムデータと手元ツール２００の標準的な手書きサイズ及びシステムデータとに基づいて（例えば、手元ツールに関する標準的な手書きサイズに手元ツール２００の画面サイズを掛け合わせた値を、基準サイズに共有画面１１１の画面サイズを掛け合わせた値で除算して）、表示換算の倍率を算出すればよい。
【００４７】
次に、手元ツール２００の制御部２１０は、手元ツール２００で手書きが実施されたかを判断し、手書きが実施された場合は（Ｓ２０６のＹｅｓ）、表示制御部２０２は、手書きされたオブジェクトを表示部２１１に表示させる（Ｓ２０７）。そして、制御部２１０は、手書きされたオブジェクトのＯＣＲ処理を行い（Ｓ２０８）、履歴データ管理部２０５は、文字の種別やポイント数、イメージサイズなどの情報を履歴データとして保存する（Ｓ２０９）。
【００４８】
次に、手元ツール２００の制御部２１０は、ユーザより表示データを送信する操作があったかを判断し、表示データを送信する操作があった場合は（Ｓ２１０のＹｅｓ）、手書きされたオブジェクトのサイズと上述した表示換算の倍率とに基づいて（例えば、オブジェクトのサイズを上記画面サイズの比率で除算したり、更に上記所定の係数で除算したりして）、共有画面１１１に表示するオブジェクトの表示サイズを算出し、共有端末１００に、表示データ（表示サイズとオブジェクトのデータ）を送信する（Ｓ２１１）。その後、Ｓ２０２に戻って同様の処理を繰り返し行う。
【００４９】
このように、手元ツール２００では、共有端末１００の基準サイズに基づいてガイドサイズを決定してガイドを表示し、オブジェクトが手書き入力されたら、手書きされたオブジェクトのサイズと表示換算の倍率とに基づいて共有端末１００に関するオブジェクトの表示サイズを算出し、オブジェクトのデータと共有端末１００に関する表示サイズを共有端末１００に送信し、共有端末１００では、受信したオブジェクトを受信した表示サイズで表示するため、共有画面１１１に所望のサイズでオブジェクトを表示することができる。
【００５０】
なお、上記フローでは、共有画面１１１の表示倍率は変わらないものとしているが、共有画面１１１の表示倍率が変更されると、基準サイズも拡大／縮小される。その際、手元ツール２００にガイドを表示した後に、基準サイズの拡大／縮小に伴って手元ツール２００のガイドを拡大／縮小すると、手書きが困難となることから、手元ツール２００にガイドを表示した後に共有画面１１１の表示倍率が変わっても、ガイドサイズは変更しないように制御してもよい。その場合は、共有画面１１１の表示倍率の変更度合いに応じて共有画面１１１に通知する表示サイズを調整すればよい。例えば、共有画面１１１の表示倍率を２倍に変更したが、手元ツール２００のガイドサイズを変更しなかった場合、ガイドを基準にして手書きしたオブジェクトは共有画面１１１上では基準サイズに対して１／２のサイズで表示されることになるため、共有画面１１１に通知する表示サイズを２倍に調整して、共有画面１１１上でオブジェクトが基準サイズで表示されるようにする。
【００５１】
また、上記フローでは、手元ツール２００の表示倍率も変わらないものとしているが、手元ツール２００にガイドを表示した後に手元ツール２００の表示倍率を変えた場合に、手書きしたオブジェクトのみを拡大／縮小すると、ガイドとオブジェクトのサイズの比較が困難となることから、手元ツール２００にガイドを表示した後に手元ツール２００の表示倍率を変えた場合は、ガイドサイズも手元ツール２００の表示倍率に合わせて拡大／縮小するように制御してもよい。
【００５２】
また、上記フローでは、１台の共有端末１００と１台の手元ツール２００の間の制御について記載したが、複数台の手元ツール２００が接続されている場合は、複数台の手元ツール２００に同じガイドサイズでガイドが表示されるように制御してもよい。また、いずれかの手元ツール２００のガイドサイズが変更された場合に、他の手元ツール２００のガイドサイズも同様に変更されるように制御してもよい。
【００５３】
以上、共有端末１００で管理しているオブジェクトの平均サイズや多く使われているサイズなどを基準サイズとする場合について記載したが、共有画面１１１の所定の領域に表示されているオブジェクトと同じサイズで手書きしたオブジェクトを表示することを望む場合もある。その場合は、手元ツール２００側から共有画面１１１の所定の領域を指定して、その領域に表示されているオブジェクトのサイズを基準サイズとして利用することができる。
【００５４】
以下、指定した領域に表示されている文字のサイズを基準サイズとする場合のオブジェクト共有システムの処理について、図１５の概念図を参照して説明する。なお、共有端末１００の共有画面１１１には、図６と同様に、第１のサイズの文字（「アイデア検討会」）と第１のサイズよりも小さい第２のサイズの文字（「Ａ案：○○○」、「Ｂ案：×××」）とイメージ（四角と丸と三角からなる図形）が表示されているとする。
【００５５】
（１）まず、ユーザは手元ツール２００のポインター光発信部２１３を用いて、共有画面１１１の所望のサイズの文字（ここでは「アイデア検討会」の文字）が表示されている領域に光を照射してポイント指示を行う。共有端末１００のタッチパネル制御部１０２は、タッチパネル１１３から出力される信号に基づいて光が照射された領域を特定する。
【００５６】
（２）次に、共有端末１００の制御部１１０は、タッチパネル制御部１０２からポイント指示の場所を取得し、指定された領域若しくはその近傍に表示されている文字のサイズを特定し（ここでは第１のサイズ）、そのサイズ情報（特定文字のサイズ）をガイド算出用の情報として手元ツール２００に送信する。
【００５７】
（３）次に、手元ツール２００の制御部２１０は、共有端末１００からサイズ情報（特定文字のサイズ）を受信すると、共有端末１００のシステムデータと手元ツール２００のシステムデータとに基づいて表示換算の倍率を算出し、サイズ情報（特定文字のサイズ）と表示換算の倍率とに基づいてガイドサイズを決定し、表示制御部２０２は、制御部２１０から通知されるガイドサイズに従って表示部２１１にガイドを表示させる。そして、ユーザが、ガイドを参考にして、共有画面１１１に表示させたいオブジェクトをタッチパネル２１２上に手書きすると、手元ツール２００の制御部２１０は、手書きしたオブジェクトのサイズと表示換算の倍率とに基づいて共有端末１００に関する表示サイズを算出し、共有端末１００に送信する。
【００５８】
（４）次に、手元ツール２００の制御部２１０は、共有端末１００の表示部２１２に表示させたいオブジェクトのデータ（ASCII、JIS、Windows（登録商標）コードなどの文字コード）を共有端末１００に送信する。
【００５９】
そして、共有端末１００の制御部１１０は、手元ツール２００から手書きしたオブジェクトのデータと共有端末１００に関する表示サイズとを受信すると、手書きしたオブジェクトをその表示サイズで共有画面１１１に表示させる。
【００６０】
図１５は、文字を指定する場合の処理であるが、イメージを指定する場合は図１６の概念図のようになる。
【００６１】
図１６を参照して、（１）まず、ユーザは手元ツール２００のポインター光発信部２１３を用いて、共有画面１１１の所望のサイズのイメージが表示されている領域に光を照射してポイント指示を行う。共有端末１００のタッチパネル制御部１０２は、タッチパネル１１３から出力される信号により光が照射された領域を特定する。
【００６２】
（２）次に、共有端末１００の制御部１１０は、タッチパネル制御部１０２からポイント指示の場所を取得し、指定された領域若しくはその近傍に表示されているイメージのサイズを特定し、そのサイズ情報（特定イメージのサイズ）をガイド算出用の情報として手元ツール２００に送信する。
【００６３】
（３）次に、手元ツール２００の制御部２１０は、共有端末１００からサイズ情報（特定イメージのサイズ）を受信すると、共有端末１００のシステムデータと手元ツール２００のシステムデータとに基づいて表示換算の倍率を算出し、サイズ情報（特定イメージのサイズ）と表示換算の倍率とに基づいてガイドサイズを決定し、表示制御部２０２は、制御部２１０から通知されるガイドサイズに従って表示部２１１にガイドを表示させる。そして、ガイドを参考にして、共有画面１１１に表示させたいオブジェクトをタッチパネル２１２上に手書きすると、手元ツール２００の制御部２１０は、手書きしたオブジェクトのサイズと表示換算の倍率とに基づいて共有端末１００に関する表示サイズを算出し、共有端末１００に送信する。
【００６４】
（４）次に、手元ツール２００の制御部２１０は、共有端末１００の表示部２１２に表示させたいオブジェクトのデータ（ビットマップ等のイメージデータ）を共有端末１００に送信する。
【００６５】
そして、共有端末１００の制御部１１０は、手元ツール２００から手書きしたオブジェクトのデータと共有端末１００に関する表示サイズとを受信すると、手書きしたオブジェクトをその表示サイズで共有画面１１１に表示させる。
【００６６】
以下、図１７のフローチャート図を参照して、ポイント指示を行う場合の共有端末１００の処理を説明する。
【００６７】
共有端末１００のタッチパネル制御部１０４は、タッチパネル１１３から出力される信号により、手元ツール２００からのポイント指定を検知する（Ｓ８０１）。ポイント指定があった場合は（Ｓ８０２のｙｅｓ）、制御部１１０は、指定されたポイントの座標データを収集し（Ｓ８０３）、座標データで特定される領域のＯＣＲ処理を行ってＯＣＲ情報を取得する（Ｓ８０４）。
【００６８】
次に、共有端末１００の制御部１１０は、該当座標に表示されているオブジェクトが文字であるかを判断し、文字の場合は（Ｓ８０５のＹｅｓ）、ＯＣＲ情報より、文字サイズを収集する（Ｓ８０６）。そして、手元ツール２００に対する文字サイズの通知処理を実施し（Ｓ８０７）、文字サイズの履歴データをＳＤカード１０９などにセットする（Ｓ８０８）。一方、イメージの場合は（Ｓ８０５のＮｏ）、座標データで特定される領域のイメージサイズを収集する（Ｓ８０９）。そして、手元ツール２００に対するイメージサイズの通知処理を実施し（Ｓ８１０）、イメージサイズの履歴データをＳＤカード１０９などにセットする（Ｓ８１１）。
【００６９】
このように、手元ツール２００で共有画面１１１上の所定の領域を指定することにより、その所定の領域に表示されているオブジェクトと同じサイズで手書きオブジェクトを表示させたり、意図的に大きい又は小さいサイズで手書きオブジェクトを表示させたりすることができる。
【００７０】
なお、本発明は上記実施例に限定されるものではなく、本発明の趣旨を逸脱しない限りにおいて、その構成や制御は適宜変更可能である。
【００７１】
例えば、上記実施例では、共有端末１００の基準サイズと表示換算の倍率とに基づいてガイドサイズを決定し、手元ツール２００に手書きしたオブジェクトのサイズと表示換算の倍率とに基づいて共有端末１００に関する表示サイズを決定したが、基準サイズのみに基づいてガイドサイズを決定（すなわち、共有画面１１１上のオブジェクトと同じサイズでガイドを表示）しても、共有画面１１１に表示されているオブジェクトと手元ツール２００で手書きするオブジェクトのサイズの比較を容易にすることができる。
【００７２】
また、上記実施例では、手元ツール２００から発信された光で共有画面１１１上の所定の領域を指定したが、例えば、手元ツール２００の表示部２１１に共有画面１１１の複製を表示し、タッチパネル２１２でポイントを指定すると、そのポイント指定情報が共有端末１００に送信されるようにしてもよいし、共有画面１１１のタッチパネル１１３をタッチしてポイントを直接指定してもよい。
【産業上の利用可能性】
【００７３】
本発明は、個人端末で手書きしたオブジェクトを共有端末の画面に表示するシステム及び個人端末で動作するプログラムに利用可能である。
【符号の説明】
【００７４】
１００  共有端末
１０１  共有画面制御部
１０２  表示制御部
１０３  無線通信部
１０４  タッチパネル制御部
１０５  履歴データ管理部
１０６  ＣＰＵ
１０７  Flash ROM
１０８  メモリ
１０９  ＳＤカード
１１０  制御部
１１１  ディスプレイ
１１２  表示部
１１３  タッチパネル
２００  手元ツール
２０１  手元ツール制御部
２０２  表示制御部
２０３  無線通信部
２０４  タッチパネル制御部
２０５  履歴データ管理部
２０６  ＣＰＵ
２０７  Flash ROM
２０８  メモリ
２０９  ＳＤカード
２１０  制御部
２１１  表示部
２１２  タッチパネル
２１３  ポインター光発信部
【図１】
0005737229.tif 000002
【図２】
0005737229.tif 000003
【図３】
0005737229.tif 000004
【図４】
0005737229.tif 000005
【図５】
0005737229.tif 000006
【図６】
0005737229.tif 000007
【図７】
0005737229.tif 000008
【図８】
0005737229.tif 000009
【図９】
0005737229.tif 000010
【図１０】
0005737229.tif 000011
【図１１】
0005737229.tif 000012
【図１２】
0005737229.tif 000013
【図１３】
0005737229.tif 000014
【図１４】
0005737229.tif 000015
【図１５】
0005737229.tif 000016
【図１６】
0005737229.tif 000017
【図１７】
0005737229.tif 000018